(57)【要約】【課題】回転式可変抵抗器において，可変抵抗器本体を，ロータ軸の実回転角度を異にする可変抵抗器に共通化し得るようにして，コストの低減を図る。【解決手段】操作パネルＰに取り付けられる可変抵抗器本体２と，この可変抵抗器本体２から外部に突出するロータ軸４と，このロータ軸４の外端に結合される操作ノブ５とからなる回転式可変抵抗器において，可変抵抗器本体２の，ロータ軸４が突出する側の正面に，ロータ軸４の回転方向に延びる板状の単一のストッパ９を突設する一方，操作ノブ５には，ロータ軸４の実回転角度βを規定すべくロータ軸４の回転方向に並んで前記ストッパ９に交互に当接する第１及び第２規制部１５ａ，１５ｂを設けた。【選択図】      図３
2006222183.tif 000002
【特許請求の範囲】
【請求項１】
支持部材（Ｐ）に取り付けられる可変抵抗器本体（２）と，この可変抵抗器本体（２）に回転自在に支承されて外部に突出するロータ軸（４）と，このロータ軸（４）の外端に結合される操作ノブ（５）とからなる回転式可変抵抗器において，
可変抵抗器本体（２）の，ロータ軸（４）が突出する側の正面に，ロータ軸（４）の回転方向に延びる板状の単一のストッパ（９）を突設する一方，操作ノブ（５）には，ロータ軸（４）の実回転角度（β）を規定すべくロータ軸（４）の回転方向に並んで前記ストッパ（９）に交互に当接する第１及び第２規制部（１５ａ，１５ｂ）を設けたことを特徴とする回転式可変抵抗器。
【請求項２】
請求項１記載の回転式可変抵抗器において，
前記操作ノブ（５）の，可変抵抗器本体（２）に対向する内端面に，ロータ軸（４）に嵌着される連結ボス（１４）と，この連結ボス（１４）に半径方向で隣接して前記ストッパ（９）を受容する円弧状の凹部（１５）とを形成し，その円弧状の凹部（１５）の両内端壁（１５ａ，１５ｂ）で前記第１及び第２規制部を構成し，これら第１及び第２規制部（１５ａ，１５ｂ）に，操作ノブ（５）の撮み部（５ｂ）の基端を一体に連結したことを特徴とする回転式可変抵抗器。
【請求項３】
請求項１又は２記載の回転式可変抵抗器において，
前記ストッパ（９）を，ロータ軸（４）を上方から覆う庇となるように配置する一方，前記操作ノブ（５）の，可変抵抗器本体（２）に対向する内端面に，ロータ軸（４）に嵌着される連結ボス（１４）と，この連結ボス（１４）に半径方向で隣接して前記ストッパ（９）を受容する円弧状の凹部（１５）とを形成し，その円弧状の凹部（１５）の内周壁（１５ｃ）と前記ストッパ（９）とでラビリンス（１７）を構成したことを特徴とする回転式可変抵抗器。
【発明の詳細な説明】
【技術分野】
【０００１】
本発明は，支持部材に取り付けられる可変抵抗器本体と，この可変抵抗器本体に回転自在に支承されて外部に突出するロータ軸と，このロータ軸の外端に結合される操作ノブとからなる回転式可変抵抗器の改良に関する。
【背景技術】
【０００２】
かゝる回転式可変抵抗器は，例えば下記特許文献１に開示されるように，既に知られている。
【特許文献１】実開平１０−２７０２１８号公報
【発明の開示】
【発明が解決しようとする課題】
【０００３】
従来のかゝる回転式可変抵抗器では，操作ノブに単一のストッパを設ける一方，可変抵抗器本体に，前記ストッパを交互に受け止めてロータ軸の回転角度を規定する一対の規制部を設けている。ところで，ロータ軸の実回転角度は可変抵抗器の用途に応じて変える場合があるが，上記のように，可変抵抗器本体に，ストッパを交互に受け止めてロータ軸の実回転角度を規定する一対の規制部を設けたものでは，要求するロータ軸の回転角度に応じて，一対の規制部間距離を異にする複数種類の可変抵抗器本体を容易して置かねばならず，これがコストの低減を困難にしている。
【０００４】
本発明は，かゝる事情に鑑みてなされたもので，可変抵抗器本体を，ロータ軸の実回転角度を異にする各種可変抵抗器に共通化し得るようにして，コストの低減に寄与し得る回転式可変抵抗器を提供することを目的とする。
【課題を解決するための手段】
【０００５】
上記目的を達成するために，本発明は，支持部材に取り付けられる可変抵抗器本体と，この可変抵抗器本体に回転自在に支承されて外部に突出するロータ軸と，このロータ軸の外端に結合される操作ノブとからなる回転式可変抵抗器において，可変抵抗器本体の，ロータ軸が突出する側の正面に，ロータ軸の回転方向に延びる板状の単一のストッパを突設する一方，操作ノブには，ロータ軸の実回転角度を規定すべくロータ軸の回転方向に並んで前記ストッパに交互に当接する第１及び第２規制部を設けたことを第１の特徴とする。
【０００６】
尚，前記支持部材は，後述する本発明の実施例中の操作パネルＰに対応する。
【０００７】
また本発明は，第１の特徴に加えて，前記操作ノブの，可変抵抗器本体に対向する内端面に，ロータ軸に嵌着される連結ボスと，この連結ボスに半径方向で隣接して前記ストッパを受容する円弧状の凹部とを形成し，その円弧状の凹部の両内端壁で前記第１及び第２規制部を構成し，これら第１及び第２規制部に，操作ノブの撮み部の基端を一体に連結したことを第２の特徴とする。
【０００８】
さらに本発明は，第１又は第２の特徴に加えて，前記ストッパを，ロータ軸を上方から覆う庇となるように配置する一方，前記操作ノブの，可変抵抗器本体に対向する内端面に，ロータ軸に嵌着される連結ボスと，この連結ボスに半径方向で隣接して前記ストッパを受容する円弧状の凹部とを形成し，その円弧状の凹部の内周壁と前記ストッパとでラビリンスを構成したことを第３の特徴とする。
【発明の効果】
【０００９】
本発明の第１の特徴によれば，ストッパは，可変抵抗器本体に１個だけ突設されるものであるから，可変抵抗器本体の成形を容易にする他，可変抵抗器本体は，ロータ軸の実回転角度を異にする各種回転式可変抵抗器に共通に使用可能であり，したがって生産性が高く，コストの低減に大いに寄与し得る。しかも，このストッパは，ロータ軸の回転方向に延びる板状をなしているから，第１及び第２規制部の当接方向での剛性が高く，したがって第１及び第２規制部との当接荷重に充分耐えることができ，耐久性が高い。一方，第１及び第２規制部は，構造及び形状が比較的簡単な操作ノブに形成されるものであるから，ロータ軸の実実回転角度を異にする各種回転式可変抵抗器に対応して，第１及び第２規制部の間隔を変えた複数種類の操作ノブを用意しておくことは比較的容易であり，それによるコストアップは比較的少ない。したがって，可変抵抗器のコストの低減を全体的に図ることができる。
【００１０】
また本発明の第２の特徴によれば，第１及び第２規制部は，操作ノブの内端面に形成される円弧状の凹部の両内端壁で構成されるもので剛性が高い。その上，これら規制部には，これらを補強するように撮み部の基端が連結されるので，これら規制部の剛性は一層強化されることになり，ストッパとの当接荷重に充分耐えることができ，耐久性を高めることができる。
【００１１】
さらに本発明の第３の特徴によれば，板状のストッパは，ロータ軸を上方から覆う庇となり，しかもこのストッパと，これを収容する操作ノブの凹部の内周壁とでラビリンスが構成されるので，雨水等の水滴が回転式可変抵抗器にかかる場合でも，その水滴のロータ軸周りへの浸入を防ぐことができる。
【発明を実施するための最良の形態】
【００１２】
本発明の実施の形態を，添付図面に示す本発明の好適な実施例に基づいて以下に説明する。
【００１３】
図１は本発明の回転式可変抵抗器を操作パネルへの取り付け状態で示す正面図，図２は図１の２−２線断面図，図３は図２の３−３線断面図，図４は図３の４−４線断面図，図５は作用説明図，図６は回転式可変抵抗器の出力電圧特性図である。
【００１４】
先ず，図１及び図２において，本発明の回転式可変抵抗器１は，前端壁に金属製の軸受筒３を固設した合成樹脂製の可変抵抗器本体２と，前記軸受筒３に回転自在に支承されて可変抵抗器本体２の正面に突出するロータ軸４と，このロータ軸４の外端に結合される合成樹脂製の操作ノブ５とを備える。可変抵抗器本体２内には，抵抗基板が固定されると共に，この基板と協働するロータが収容され（何れも図示せず），そのロータから前記ロータ軸４が延出している。
【００１５】
図１及び図３に示すように，可変抵抗器本体２からは，前記抵抗基板に連なる３本のリード線６ａ〜６ｃが延出し，それらにカプラ２０が接続される。カプラ２０は，前記３本のリード線６ａ〜６ｃに連なる接続端子７ａ〜７ｃを備えており，そのうちの２本の接続端子７ａ，７ｂは標準電池の両極に接続され，その（＋）極側の端子７ｂと，残る一本の端子７ｃとから，ロータ軸４の実回転角度に対応した電圧が取り出されるようになっている。
【００１６】
図１〜図４に示すように，可変抵抗器本体２の正面には，その外周側でロータ軸４の回転方向に延びる円弧の板状をなす単一のストッパ９と，ロータ軸４を挟んでストッパ９と反対側に配置される位置決め突起１０とが一体に突設される。一方，この可変抵抗器本体２を支持する操作パネルＰには，前記ストッパ９及び軸受筒３がそれぞれ貫通する透孔１１，１２と，位置決め突起１０が嵌合する位置決め孔１３とが設けられる。操作パネルＰは略直立状態に配置される。
【００１７】
而して，可変抵抗器本体２の操作パネルＰへの取り付けに際しては，回転式可変抵抗器１のストッパ９，軸受筒３及び位置決め突起１０を操作パネルＰの裏側から透孔１１，１２及び位置決め孔１３に挿入して，可変抵抗器本体２の正面が操作パネルＰの裏面に重ねられ，操作パネルＰの表面側に突出した軸受筒３にナット８を螺合，緊締される。可変抵抗器本体２の操作パネルＰへの取り付け状態では，ストッパ９は，ロータ軸４及び軸受筒３を上方から覆う庇となるような位置を占める。
【００１８】
軸受筒３から突出したロータ軸４の外端部の一側面には，回り止めのための平坦面４ａが形成されており，その外端部に結合される合成樹脂製の操作ノブ５は，円形のノブ主体部５ａと，このノブ主体部５ａから一側方に突出する偏平な撮み部５ｂとで構成される。ノブ主体部５ａの，可変抵抗器本体２に対向する内端面には，その中心部に位置する連結ボス１４と，この連結ボス１４に半径方向で隣接する，それと同心の円弧状の凹部１５とが設けられる。連結ボス１４の内周面には，ロータ軸４の外端部の輪郭に対応した形状をなす保持ばね１６が装着されており，この保持ばね１６の内側にロータ軸４の外端部を嵌入すると，保持ばね１６の収縮力によりロータ軸４に連結ボス１４が連結される。
【００１９】
こうしてロータ軸４に操作ノブ５が結合されると，ノブ主体部５ａの円弧状の凹部１５は可変抵抗器本体２の円弧状ストッパ９を受容する。しかもその凹部１５の内周壁１５ｃは，ストッパ９の外周面に近接してそれとの間にラビリンス１７を構成するようになっている。
【００２０】
また上記凹部１５の一方の内端壁１５ａは，ストッパ９の一端面を受け止めてロータ軸４の一方の回転限界を規定する第１規制部を，また該凹部１５の他方の内端壁１５ｂは，ストッパ９の一端面を受け止めてロータ軸４の他方の回転限界を規定する第２規制部を構成する。しかも，先端を下向きに突出させる撮み部５ｂの基端は，上記第１及び第２規制部１５ａ，１５ｂに一体に連結していて，それら規制部１５ａ，１５ｂを補強するようになっている。
【００２１】
さらに操作ノブ５の内端面には，凹部１５から撮み部５ｂの先端部に達する排水溝１８が形成される。
【００２２】
図６は上記回転式可変抵抗器１の出力電圧特性を示すもので，αは可変抵抗器本体２の内部で規定されるロータ軸４の最大回転角度であり，βが第１及び第２規制部１５ａ，１５ｂのストッパ９への当接により規定されるロータ軸４の実回転角度である。したがって，第１及び第２規制部１５ａ，１５ｂの位置及び間隔を変更すれば，そのロータ軸４の実回転角度β及びその位置を変えることができる。
【００２３】
次に，この実施例の作用について説明する。
【００２４】
図３で操作ノブ５の撮み部５ｂを撮んで，図５（Ａ）のように時計方向に回転すれば，カプラ２０の接続端子７ｂ，７ｃから取り出される電圧は低下（又は上昇）していき，操作ノブ５の第１規制部１５ａが可変抵抗器本体２のストッパ９に当接することで最低（又は最高）となる。また操作ノブ５を図５（Ｂ）のように反時計方向に回転すれば，カプラ２０の接続端子７ｂ，７ｃから取り出される電圧は上昇（又は低下）していき，操作ノブ５の第２規制部１５ｂが可変抵抗器本体２のストッパ９に当接することで最高（又は最低）となる。
【００２５】
ところで，ストッパ９は，可変抵抗器本体２の正面に１個だけ突設されるものであるから，可変抵抗器本体２の成形を容易に行うことができる他，可変抵抗器本体２は，ロータ軸４の実回転角度を異にする各種回転式可変抵抗器１に共通に使用可能であり，生産性が高く，コストの低減に大いに寄与し得る。しかも，このストッパ９は，ロータ軸４の回転方向に延びる円弧の板状をなしているから，第１及び第２規制部１５ａ，１５ｂの当接方向での剛性が高く，したがって第１及び第２規制部１５ａ，１５ｂとの当接荷重に充分耐えることができ，耐久性が高い。
【００２６】
一方，第１及び第２規制部１５ａ，１５ｂは，操作ノブ５の内端面に形成される円弧状の凹部１５の両内端壁で構成されるもので剛性が高い。その上，これら規制部１５ａ，１５ｂには，これらを補強するように撮み部５ｂの基端に連結されるので，これら規制部１５ａ，１５ｂの剛性は一層強化されることになり，ストッパ９との当接荷重に充分耐えることができ，耐久性が高い。しかも操作ノブ５は，構造及び形状が比較的簡単で成形が容易であるから，ロータ軸４の実回転角度を異にする各種回転式可変抵抗器１に対応して，第１及び第２規制部１５ａ，１５ｂの間隔を変えた複数種類の操作ノブ５を用意しておくことは比較的容易であり，それによるコストアップは比較的少ない。結局，回転式可変抵抗器１のコストの低減を全体的に図ることができる。
【００２７】
また円弧で板状のストッパ９は，ロータ軸４及びこれを支承する軸受筒３を上方から覆う庇となり，しかもこのストッパ９と，これを収容する操作ノブ５の凹部１５の内周壁１５ｃとでラビリンス１７が構成されるので，雨水等の水滴が回転式可変抵抗器１にかかる場合でも，その水滴の軸受筒３内，即ちロータ軸４周りへの浸入を防ぐことができる。また万一，水滴がラビリンス１７内に浸入しても，その水滴は，軸受筒３を覆う庇状のストッパ９の両端縁から，軸受筒３及びロータ軸４にかかることなく，凹部１５の下方へ落下し，そして撮み部５ｂ裏面の排水溝１８を経て外部に流出する。
【００２８】
本発明は上記実施例に限定されるものではなく，その要旨を逸脱しない範囲で種々の設計変更が可能である。
【図面の簡単な説明】
【００２９】
【図１】本発明の回転式可変抵抗器を操作パネルへの取り付け状態で示す正面図。
【図２】図１の２−２線断面図。
【図３】図２の３−３線断面図。
【図４】図３の４−４線断面図。
【図５】作用説明図。
【図６】回転式可変抵抗器の出力電圧特性図。
【符号の説明】
【００３０】
Ｐ・・・・・支持部材（操作パネル）
β・・・・・ロータ軸の実回転角度
１・・・・・回転式可変抵抗器
２・・・・・可変抵抗器本体
４・・・・・ロータ軸
５・・・・・操作ノブ
５ａ・・・・ノブ主体部
５ｂ・・・・撮み部
９・・・・・ストッパ
１４・・・・連結ボス
１５・・・・凹部
１５ａ・・・第１規制部
１５ｂ・・・第２規制部
１５ｃ・・・内周壁
１７・・・・ラビリンス
【図１】
2006222183.tif 000003
【図２】
2006222183.tif 000004
【図３】
2006222183.tif 000005
【図４】
2006222183.tif 000006
【図５】
2006222183.tif 000007
【図６】
2006222183.tif 000008